(57)【特許請求の範囲】
【請求項１】
電源としての電池と、
前記電池、ＬＥＤ、及び接続端子を内蔵保持する本体と、
軟質素材の首掛け用紐部とを具備し、
前記首掛け用紐部の端部は、前記本体を挿入できる箱型形状であり内壁に第１係止部を有し、
前記本体は、前記第１係止部と対向する第２係止部を有し、前記第２係止部が前記第１係止部と嵌合することで、前記本体は前記首掛け用紐部に係止され、かつ前記本体は前記第２係止部を軸として回転動作が可能な首掛け用ＬＥＤ照明装置において、
ＬＥＤ照射面を前記首掛け用紐部の箱型形状の底面に向けて装着することにより、前記首掛け用紐部の内側から光らせることもできる首掛け用ＬＥＤ照明装置。
【請求項２】
前記軟質素材の首掛け用紐部は、半透明部材など光透過性のよい素材を使用したことを特徴とする請求項１記載の首掛け用ＬＥＤ照明装置。
【発明の詳細な説明】
【技術分野】
【０００１】
本発明は、電池を電源とし、夜間もしくは暗室内にて首に掛けてハンドフリーで使用されるＬＥＤ照明装置に関するものである。
【背景技術】
【０００２】
従来、首に掛けて使用するＬＥＤ照明装置には、照射方向調整機能と電源ＯＮ・ＯＦＦのスイッチ切替機能を同じ回転動作の中で行う構成のものや、ＬＥＤ保持部が固定されており照射方向調整機能を持たない構成のものが知られている。従来の首掛け用ＬＥＤ照明装置を図６に示す。図６において、ＬＥＤａ１３を内蔵したＬＥＤ保持部ａ１４を回転させることにより接点ａ１５を切り替えてＯＮ・ＯＦＦ動作を行っていた（例えば特許文献１参照）。
【先行技術文献】
【特許文献】
【０００３】
【特許文献１】特開２００５−２４３５３８号公報
【特許文献２】特開２０１３−１７９０９９号公報
【発明の概要】
【発明が解決しようとする課題】
【０００４】
しかし、前記従来の首掛け用ＬＥＤ照明装置では、ＬＥＤの照射方向を調整することができないものは、ＬＥＤ保持部を手に持ち狙いの方向を照らす必要があり、照射方向調整機能があるものは、電源ＯＮ・ＯＦＦの度に照射方向を再調整する必要があるなど不便であった。また、外部周囲を照らす目的にのみ使われるなど使用用途も限定されるものであった。そして、首にかけて使用することを主の使われ方としているが、前傾姿勢をとった時などに胸元で照明装置が揺れ動いてしまい、狙ったところにＬＥＤが照射されずに使い難く、更には紐部の長さ調整ができないために人の体形や用途に適した使用ができない物であった。
本発明は、かかる点に鑑みなされたもので、その主な目的は、ＬＥＤの照射方向や方法を変更可能とすることにより、人の体形や用途に適した使用ができる首掛け用ＬＥＤ照明装置を提供することである。
【課題を解決するための手段】
【０００５】
前記従来の課題を解決するために、電源としての電池と、前記電池、ＬＥＤ、及び接続端子を内蔵保持する本体と、軟質素材の首掛け用紐部とを具備し、前記首掛け用紐部の端部は、前記本体を挿入できる箱型形状であり内壁に第１係止部を有し、前記本体は、前記第１係止部と対向する第２係止部を有し、前記第２係止部が前記第１係止部と嵌合することで、前記本体は前記首掛け用紐部に係止され、かつ前記本体は前記第２係止部を軸として回転動作が可能とした。
また、首掛け用紐部の箱型形状への本体挿入方向が、本体のＬＥＤ照射面を前記首掛け用紐部の箱型形状の開口部側に向けた方向と、前記本体のＬＥＤ照射面が前記首掛け用紐部の箱型形状の開口部と反対側に向けた方向のどちらでも装着可能としている。
【発明の効果】
【０００６】
本発明によると、前記首掛け用紐部の端部の箱型形状の壁の内側に向かい合うように設
けられた凹部に前記本体の外面の左右に存在する凸突起が嵌り込むことで係止されるだけでなく、前記凸突起が軸となり、本体を回転動作可能とすることで照射方向の調整が可能な首掛け用ＬＥＤ照明装置を得ることができる。そして、端子の接続すなわち電源ＯＮ・ＯＦＦの操作は本体内部で完結しており、前記本体の回転動作とは関連がない構成としているため、ＬＥＤの照射方向を保持したまま電源ＯＮ・ＯＦＦの繰り返し使用が可能となる。
【０００７】
また、前記首掛け用紐部の箱型形状への本体挿入が、前記本体のＬＥＤ照射面が前記首掛け用紐部の箱型形状の開口部と反対側の向きにも装着可能であることから、首掛け用紐部の内部から箱型形状部の全体をほのかに照らす光を得ることができ、キャンプ時のテント内での間接照明として使うなど使用用途を広げることができる。
【０００８】
そして、首掛け用紐部の箱型形状の外面にコの字型をしたクリップを備えたことにより服などへの固定を可能とし、首掛け用ＬＥＤ照明装置が胸元で揺れることを防ぐことができ、更には首掛け用紐部の１本の紐には適当な間隔で複数個の球体形状の膨らみを設けられているので、適当な長さへの調整も可能となり、使い勝手の良い首掛け用ＬＥＤ照明装置を得ることができる。
【図面の簡単な説明】
【０００９】
【図１】本発明の一実施形態における首掛け用ＬＥＤ照明装置の構成を示した図で、（ａ）は側面方向断面図、（ｂ）は正面方向概略断面図である。
【図２】同首掛け用ＬＥＤ照明装置の外観図である。
【図３】同首掛け用ＬＥＤ照明装置の本体をＬＥＤ照射面が首掛け用紐部の箱型形状の内部に位置するように装着した様子を示す図である。
【図４】同首掛け用ＬＥＤ照明装置のクリップ部の斜視図である。
【図５】同首掛け用ＬＥＤ照明装置の首掛け用紐部の外観図である。
【図６】従来の首掛け用ＬＥＤ照明装置の構成を示す概略断面図である。
【発明を実施するための形態】
【００１０】
以下、本発明の実施形態を、図面を参照して説明する。
【００１１】
図１は本発明の一実施形態における首掛け用ＬＥＤ照明装置の構成を示した図で、（ａ）は側面方向断面図、（ｂ）は正面方向概略断面図である。
【００１２】
本実施形態では、本体１は、電池２、電池接続端子Ａ３、電池接続端子Ｂ４、電池接続端子Ｃ５、制御基板６、ＬＥＤ７、ケース８、レンズ９、パッキン１０、絶縁板１１から構成され、電池２と電池接続端子Ａ３、電池接続端子Ｂ４、ＬＥＤ７はそれぞれ制御基板６と連結された状態でレンズ９に内蔵されており、更には、制御基板６の保護として絶縁板１１が制御基板６を覆うように配置されている。絶縁板１１は電池接続端子Ａ３と電池接続端子Ｂ４を逃がすような形状をしており、電池接続端子Ｂ４はレンズ９の開口部端面にまで伸びている。一方、ケース８の内側面には電池接続端子Ｃ５が配置されている。
ケース８とレンズ９は樹脂成形品であり 、ケース８とレンズ９は互いに設けられたねじ山を締め付けることで結合される。また、レンズ９のねじ山部近傍にはパッキン１０を備えている。
【００１３】
また図１（ｂ）において首掛け用紐部１２の端部の箱型形状の四面の内の左右二面は本体の押し出し方向に対し、前記本体を支えるように伸びており本体１を保持している。
同図を用いて、本実施形態における動作を詳細に説明する。本体１は首掛け用紐部１２の開口部から挿入する。このとき、紐部左右二面に設けた第１係止部である凹部（以下、凹部と記載）１２ａに本体１の第２係止部である凸突起（以下、凸突起と記載）８ａが嵌る
ことで係止され、かつ、凸突起８ａを軸として本体１は首掛け用紐部１２に対し回転可能であるため、使用時に不用意に本体１が脱落することがなく、かつ、使用シーンに応じて光の照射方向を上下調整でき快適に使用することができる。
次にスイッチ操作について図１（ａ）を用いて説明する。本体１のレンズ９をケース８に向かって右回転に回し締めることで、レンズ９はケース８に嵌り込み、いずれは電池接続端子Ａ３が電池２の負極と接触、電池端子Ｃ５が電池２の正極と接触、更にはレンズ９の開口部端面にまで伸びている電池接続端子Ｂ４と電池接続端子Ｃ５とが接触することで、電気的に接続されＬＥＤが点灯される。また、ＬＥＤが点灯状態において、レンズ９をケース８に向かって左回転に回し緩めることにより、電池接続端子Ｂ４と電池接続端子Ｃ５の接触は開放され、ＬＥＤが消灯される。
【００１４】
この構成において、レンズ９のねじ山部近傍にパッキン１０を設けることで本体１の気密性を高め、電気接点部や制御基板部への雨水や粉塵などの浸入がなく、雨中の釣りやウォーキングにも安心して使用することができる。
本実施形態では、箱型形状の壁の内側に向かい合うように設けられた凹部は、箱型形状の壁の外側まで貫通していないが、貫通したものも同様の効果が得られ本発明に含まれることは明白である。
【００１５】
また、首掛け用紐部の端部の箱型形状の壁の内側に向かい合うように凹部が設けられ、本体の外面の左右に凸突起が嵌り込む構成としたが、掛け用紐部の端部の箱型形状の壁の内側に向かい合うように凸突起を設け、本体の外面の左右に凹部が嵌り込む構成としても同様の効果が得られ本発明に含まれることは明白である。
【００１６】
図２は本実施形態における首掛け用ＬＥＤ照明装置の外観図であり、首掛け用紐部を首などに引っ掛けることにより、ハンドフリーで周囲を照らすことができるようになっている。
【００１７】
図３は本発明の第１の実施の形態における首掛け用ＬＥＤ照明装置において、本体１をＬＥＤ照射面が首掛け用紐部１２の箱型形状の内部に位置するように装着した様子を示したものである。予めＬＥＤを点灯させておいた本体１をＬＥＤ照射面が前記首掛け用紐部１２の箱型形状の内部に位置するように装着することで、首掛け用紐部１２の内部からほのかに照らす光を得ることができる。これによりキャンプ時のテント内での間接照明として使うなど使用シーンを広げることができる。
この使い方において首掛け用紐部１２素材としては、明るさを保つために半透明部材など光透過性のよい素材が好ましい。
【００１８】
図４は本実施形態における首掛け用ＬＥＤ照明装置において、首掛け用紐部１２の箱型形状の外面に設けられたクリップ部１２ｂの斜視図である。首掛け用ＬＥＤ照明装置を首などに掛けて使用する際、クリップ部１２ｂで服などに固定することができるので、首掛け用ＬＥＤ照明装置が胸元で揺れるなどして照射方向が定まらない時に使い勝手を向上することができる。
【００１９】
図５は本実施形態における首掛け用ＬＥＤ照明装置において、首掛け用紐部１２の外観図である。１本の紐には適当な間隔で複数個の球体形状の膨らみ１２ｃが設けられており、首掛け用ＬＥＤ照明装置を首に掛けた際に紐が長すぎる場合や、首以外の所に掛けて使用するなど紐を短くしたい時などに、適当な位置にある球体形状の膨らみ１２ｃの近傍で切断することにより紐の長さを調整でき、使い勝手を向上させることができる。
【００２０】
首掛け用紐部１２の素材としては、首への着脱の容易さ、本体の密着的な包み込み、長さ調整のための切断作業性などの観点からゴムやエラストマーなどの軟質素材が好ましい
。
【産業上の利用可能性】
【００２１】
発明にかかる首掛け用ＬＥＤ照明装置は、本体を上下に回転させることで照射方向の調整が可能で、また、ＬＥＤの照射方向を保持したまま電源ＯＮ・ＯＦＦの繰り返し使用が可能で使い勝手が良いため、釣りやキャンプなどで夜間使用する場合のほか、暗室内等で首に掛けてハンドフリーで使用されるＬＥＤ照明装置等として有用である。
【符号の説明】
【００２２】
１      本体
２      電池
３      電池接続端子Ａ
４      電池接続端子Ｂ
５      電池接続端子Ｃ
６      制御基板
７      ＬＥＤ
８      ケース
８ａ    第２係止部（凸突起）
９      レンズ
１０    パッキン
１１    絶縁板
１２    首掛け用紐部
１２ａ  第１係止部（凹部）
１２ｂ  クリップ部
１２ｃ  球体形状の膨らみ
１３    ＬＥＤａ
１４    ＬＥＤ保持部ａ
１５    接点ａ
【図１】
0006731575.tif 000002
【図２】
0006731575.tif 000003
【図３】
0006731575.tif 000004
【図４】
0006731575.tif 000005
【図５】
0006731575.tif 000006
【図６】
0006731575.tif 000007